(57)【要約】【課題】デジタル機器や情報通信機器の操作が苦手な端末利用者でもデジタル写真の端末間転送を気軽に楽しく行えるようにすることを目的とする。【解決手段】典型例として、スマートフォンである携帯無線端末Ｂの利用者は、転送プログラムＣを起動することと、送信したい画像ファイルを指定することと、端末Ｂをボールを投げるように振ることとを行うだけで、簡単かつ楽しく画像ファイルを端末Ａに転送することができる。デジタルフォトフレームである無線端末Ａの利用者は転送プログラムＣを起動するだけで、無線ＬＡＮアクセスポイントを通じて端末Ａにて画像ファイルが自動受信されて表示される。【選択図】図１
2013135420.tif 000002
【特許請求の範囲】
【請求項１】
１台の無線ＬＡＮアクセスポイントのカバーエリア内において、送信プログラムＣ１と受信プログラムＣ２を含んだ転送プログラムＣを実装している加速度センサ付き携帯無線端末Ｂと無線端末Ａとの間で画像ファイルを転送する方法であって、
無線端末Ａおよび携帯無線端末Ｂの転送プログラムＣをそれぞれ起動し、端末Ａおよび端末Ｂを同じアクセスポイントに接続するプロセスと、
転送プログラムＣが、起動された際、自身が実装されている端末の属性情報を取得し、その属性情報がデジタルフォトフレームであることを示す所定の属性情報に該当する場合に受信プログラムＣ２を起動し、該当しない場合には送信プログラムＣ１を起動する処理を行うことにより、無線端末Ａにおいて受信プログラムＣ２を起動させ、携帯無線端末Ｂにおいて送信プログラムＣ１を起動させるプロセスと、
携帯無線端末Ｂから送信プログラムＣ１により受信端末呼びかけ電文を送信し、無線端末Ａが受信プログラムＣ２により受信端末呼びかけ電文を受信して端末Ａの識別子を含む応答電文を端末Ｂ宛てに送信するプロセスと、
携帯無線端末Ｂにおいて、送信プログラムＣ１により、無線端末Ａからの前記応答電文を受信した際、端末Ｂの利用者に端末Ａの存在を知らせるプロセスと、
携帯無線端末Ｂにおいて、送信プログラムＣ１により、端末Ｂの利用者に転送したい画像ファイルの指定操作を促すプロセスと、
携帯無線端末Ｂにおいて、送信プログラムＣ１により、前記加速度センサの信号に基づいて利用者が端末Ｂを振ったことを検出した際、指定された画像ファイルを無線端末Ａへ転送する画像ファイル転送電文を送信するプロセスと、
無線端末Ａにおいて、受信プログラムＣ２により、前記画像ファイル電文を受信し、受信した画像ファイルをメモリに格納するとともにディスプレイに表示するプロセスと、
を含んだ画像ファイル転送方法。
【請求項２】
請求項１に記載の方法により無線ＬＡＮアクセスポイントのカバーエリア内において加速度センサ付き携帯無線端末Ｂと無線端末Ａとの間で画像ファイルを転送するために端末Ｂと端末Ａに実装される転送プログラム。
【請求項３】
請求項２に記載の転送プログラムを実装した無線端末Ａであるところのデジタルフォトフレーム。
【発明の詳細な説明】
【技術分野】
【０００１】
この発明は、典型的には、携帯電話機やスマートフォンなどのカメラ付き携帯無線端末からデジタルフォトフレームと呼ばれる無線端末へデジタル写真などの画像ファイルを無線ＬＡＮアクセスポイントを通じて転送する技術に関し、とくに、デジタル機器や情報通信機器の操作が苦手な端末利用者でもデジタル写真の端末間転送を気軽に楽しく行えるようにすることを目的として創作されたものである。
【背景技術】
【０００２】
近年のデジタル技術は、デジタル写真用の写真立てとして、デジタルフォトフレームと呼ばれるコンピューター応用製品を生みだした。周知のように、デジタルフォトフレームはタブレットコンピューターのような外観と機能を備えていて、メモリに蔵置されたデジタル写真をＬＣＤやＥＬのディスプレイに表示する。表示モードはいろいろに工夫されている。これには最新の情報通信技術が採り入れられ、インターネットを通じて転送されてきたデジタル写真をデジタルフォトフレームで受信して表示したり、デジタルカメラや携帯電話機（スマートフォンも含む）で撮影されたデジタル写真を無線通信によりデジタルフォトフレームに転送して表示することができる製品が多い。
【０００３】
高機能なデジタルフォトフレームは、ハードウエアおよびソフトウエアの構成から見ると近年大流行のタブレットコンピューターとほとんど同じであり、タブレットコンピューターをデジタルフォトフレームとして機能特化した無線端末の一形態であるといえる。たとえば、グーグル社が提供するアンドロイド（登録商標）と称するプラットフォームを利用したデジタルフォトフレーム製品が市場に流通している。
【０００４】
デジタルフォトフレームは贈答品としてよく売れているという現状があり、このことが問題を生みだしている。贈られた人がデジタルフォトフレームの使い方がよくわからないのである。スマートフォンやタブレットコンピューターなどの最新のデジタル機器をみずから好んで使いこなそうとする人ならいざ知らず、機能特化されているとはいえ、高機能なデジタルフォトフレームを使いこなすことは容易ではない。
【０００５】
上述したように、デジタルフォトフレームは最新のコンピューター通信技術をベースにして構成されているため、機能特化製品ではあるものの旧来の写真立てとは異次元の複雑な情報通信機器である。したがって、情報通信機器に対する積極的な関心を持たない人にとっては、デジタルフォトフレームの基本機能でさえ使うことは簡単とはいえず、いろいろと盛り込まれている高機能を使いこなすことはきわめて困難なことである。
【０００６】
《参考文献１》  特開２０１１−７６１８９号公報
《参考文献２》  特開２０１０−２５２３８７号公報
《参考文献３》  特開２０１０−２７１８４３号公報
【発明の開示】
【０００７】
＝＝＝発明の概要＝＝＝
この発明においては、無線ＬＡＮアクセスポイントのカバーエリア内に存在する無線端末間でデジタル写真のような画像ファイルを転送する。２つの無線端末の一方は画像ファイルの受け手となる端末であり、典型的にはデジタルフォトフレームのような無線端末である。他方の端末は画像ファイルの送り手となる端末であり、典型的にはスマートフォンのような携帯無線端末であり、とくに、端末自体の動きに感応する加速度センサを備えた携帯無線端末である。
【０００８】
受け手となる無線端末Ａおよび送り手となる携帯無線端末Ｂには同じ構成の転送プログラムＣが実装されており、この転送プログラムＣが起動されると、まず、端末Ａおよび端末Ｂはそれぞれ無線ＬＡＮアクセスポイントとの接続処理を実行する。両端末Ａ・Ｂが同じ無線ＬＡＮアクセスポイントのカバーエリア内に存在するものとすれば、両端末Ａ・Ｂは当該アクセスポイントに自動的に接続されることとなり、当該アクセスポイントを介して端末Ａと端末Ｂが通信可能な状態となる。
【０００９】
受け手となる無線端末Ａにおいては、転送プログラムＣの働きにより当該端末Ａの属性情報が調べられ、デジタルフォトフレームであることを示す所定の属性情報が検出され、そのことにより転送プログラムＣ中の受信プログラムを実行する。なお、起動時はフォアグランドで実行されるが、他のプログラムがフォアグランド実行されると、この転送プログラムＣはバックグランドにて実行される。
【００１０】
送り手となる携帯無線端末Ｂにおいては、転送プログラムＣの働きにより当該端末Ｂの属性情報が調べられ、デジタルフォトフレームであることを示す所定の属性情報でないことが検出され、そのことにより転送プログラムＣ中の送信プログラムに進む。
【００１１】
送信プログラムが実行されている携帯無線端末Ｂは、受信端末呼びかけ電文をアクセスポイントに送信することを適宜に繰り返し実行する。受信端末呼びかけ電文とは、同じ転送プログラムＣが実装されていて受信モードで動作する端末（受信プログラムが動作している端末）が当該アクセスポイントに接続されていないかどうかを検索するための電文である。該当する端末がこの電文を受信すれば、その端末は電文の意味内容を理解するが、その他の端末がこの電文を受信しても電文内容を理解しない。
【００１２】
デジタルフォトフレームである無線端末Ａは、転送プログラムＣ中の受信プログラムが動作していて上記アクセスポイントに接続されている。したがって、携帯無線端末Ｂが送信した上記の受信端末呼びかけ電文を無線端末Ａが受信して電文内容を理解し、応答電文を端末Ｂに送信する。この応答電文には、無線端末Ａの識別子が記述されている。
【００１３】
携帯無線端末Ｂは、受信端末呼びかけ電文に対する無線端末Ａからの応答電文を受信すると、画像ファイルの受け手となる端末Ａが存在することをディスプレイに表示して端末Ｂの利用者に知らせ、同時並行して、端末Ｂの利用者に送信するべき画像ファイルを指定するように促す。
【００１４】
携帯無線端末Ｂは、利用者の操作入力により画像ファイルが指定されると、利用者に向けて端末Ｂを振るように動かしなさいと指示する。指示に従って利用者が端末Ｂを手に持ってボールを投げるような感じでひと振りすると、端末Ｂに内蔵されている周知の加速度センサの信号処理により「振り動作」が検出され、端末Ａを宛先とする画像ファイル転送電文が端末Ｂから送信される。
【００１５】
デジタルフォトフレームである無線端末Ａが上記の画像ファイル転送電文を受信し、その画像ファイルを所定のメモリに格納し、かつ、受信した画像ファイルをディスプレイに表示する。
【００１６】
＝＝＝発明の効果＝＝＝
典型例としてデジタルフォトフレームである無線端末Ａの利用者は転送プログラムＣを起動するだけで、無線ＬＡＮアクセスポイントを通じて端末Ａにて画像ファイルが自動受信されて表示される。典型例としてスマートフォンである携帯無線端末Ｂの利用者は、転送プログラムＣを起動することと、送信したい画像ファイルを指定することと、端末Ｂをボールを投げるように振ることとを行うだけで、簡単かつ楽しく画像ファイルを端末Ａに転送することができる。
【図面の簡単な説明】
【００１７】
【図１】無線ＬＡＮアクセスポイント１のカバーエリアにデジタルフォトフレーム２とスマートフォン３が存在していることを表している。
【図２】デジタルフォトフレーム２の構成の概要を示している。
【図３】スマートフォン３の構成の概要を示している。
【図４】この発明による転送プログラムの起動直後の動作手順の概要を示している。
【図５】同上転送プログラムによる受信端末検索処理の概要を示している。
【図６】同上転送プログラムにおける受信プログラムの動作手順の概要を示している。
【図７】同上転送プログラムによる送信処理の概要を示している。
【図８Ａ】実施例におけるスマートフォン３における画面遷移を示している。
【図８Ｂ】実施例におけるスマートフォン３における画面遷移を示している。
【図９】実施例におけるデジタルフォトフレーム２における画面遷移を示している。
【図１０】無線ＬＡＮアクセスポイント１のカバーエリアにデジタルフォトフレーム２とデジタルフォトフレームであることを示す所定の属性情報が設定記録されていないタブレットコンピューターやその他のスマートフォンスマートフォン３が存在していることを表している。
【発明を実施するための形態】
【００１８】
図１は、Ｗi-Ｆi 規格の１台の無線ＬＡＮアクセスポイント１のカバーエリアに、画像ファイルの受け手となる無線端末であるところのデジタルフォトフレーム２と、画像ファイルの送り手となる携帯無線端末であるところのスマートフォン３が存在していることを表している。無線ＬＡＮアクセスポイント１はインターネットに接続するルーターとして機能するが、この発明とは直接関係しない。
【００１９】
図２は、デジタルフォトフレーム２の構成の概要を示している。この実施例のデジタルフォトフレーム２は、アンドロイドＯＳを用いて構成された周知のアンドロイド端末であり、タブレットコンピューターと同様な外観をしており、この発明と直接関係する部分のみをとりあげると、図２のように、Ｗi-Ｆi 通信部２１と、ディスプレイ部２２と、タッチセンサ部２３と、操作部２４と、プロセサ部２５と、記憶部２６を備えたコンピューターである。
【００２０】
図３は、スマートフォン３の構成の概要を示している。この実施例のスマートフォン３は、アンドロイドＯＳを用いて構成された周知のアンドロイド端末であり、周知のとおりの外観をしており、この発明と直接関係する部分のみをとりあげると、図３のように、Ｗi-Ｆi 通信部３１と、ディスプレイ部３２と、タッチセンサ部３３と、操作部３４と、加速度センサ部３５と、プロセサ部３６と、記憶部３７を備えたコンピューターである。
【００２１】
この発明の核心をなす転送プログラムが、デジタルフォトフレーム２の記憶部２６に格納されプロセサ部２５がこれを実行可能であり、同様に、スマートフォン３の記憶部３７にも格納されプロセサ３６がこれを実行可能である。
【００２２】
周知のように、デジタルフォトフレーム２は、記憶部２６に格納されている複数の画像ファイル（デジタル写真）の中から指定された１つの写真をディスプレイ部２２に表示するモードや、複数の写真をディスプレイ部２２に順次表示するスライドショーのモードなどで動作する。
【００２３】
デジタルフォトフレーム２の電源をオンにすると、周知のアンドロイド端末と同様にホーム画面が表示され、実行可能なアプリ（応用プログラム）のアイコンが一覧的に表示される。そのなかにこの発明の核心をなす転送プログラムのアイコンがある。そのアイコンをタップすると転送プログラムが起動され、プロセサ部２５はＷi-Ｆi 通信部２１を使って近辺の無線ＬＡＮアクセスポイント１との接続を試みる処理を実行する。以上のことを図４のフローチャートにおけるステップ４０１〜４０５として図解している。
【００２４】
デジタルフォトフレーム２が無線ＬＡＮアクセスポイント１と接続できた場合、プロセサ部２５は転送プログラムの処理を進め、この転送プログラムがインストールされている端末（すなわち当該デジタルフォトフレーム２）に設定記録されている端末属性を表す情報を取得し、その属性情報が転送プログラムに設定記録されている特定の情報（所定のデジタルフォトフレームであることを表す情報）に該当するか否かを調べる。
【００２５】
この実施例では、デジタルフォトフレーム２は所定の属性情報が記録された端末であるとしている。この場合、転送プログラムを実行するプロセサ部２５は、当該端末が所定のデジタルフォトフレームであると判断して、転送プログラム中の受信プログラムを起動する。換言すると、デジタルフォトフレーム２においては、起動された転送プログラムが受信モードにて実行される。このことが図４のステップ４０６→４０７に表現されている。
【００２６】
同様にして、スマートフォン３において、インストールされている本発明の転送プログラムが起動されると、プロセサ部３６がＷi-Ｆi 通信部３１を使って無線ＬＡＮアクセスポイント１に接続する処理が実行され、さらに上記と同様に、この転送プログラムがインストールされている端末（すなわち当該スマートフォン３）に設定記録されている端末属性を表す情報を取得し、その属性情報が転送プログラムに設定記録されている特定の情報（所定のデジタルフォトフレームであることを表す情報）に該当するか否かを調べる。
【００２７】
スマートフォン３には所定のデジタルフォトフレームであることを表す属性情報は設定記録されていない。この場合、転送プログラムを実行するプロセサ部３６は、当該端末が所定のデジタルフォトフレームではないと判断して、転送プログラム中の送信プログラムを起動する。換言すると、スマートフォン３においては、起動された転送プログラムが送信モードにて実行される。このことが図４のステップ４０６→４０８→４０９・４１０に表現されている。
【００２８】
送信モードに進んだスマートフォン３においては、受信端末検索処理および送信処理が並行して行われることになる。受信端末検索処理の概略手順を図５のフローチャートに示している。スマートフォン３は、受信端末呼びかけ電文をアクセスポイント１に送信することを適宜に繰り返し実行する。受信端末呼びかけ電文とは、この発明の核心である転送プログラムが実装されていて受信モードで動作する端末（受信プログラムが動作している端末）が当該アクセスポイント１に接続されているか否かを調べるための電文である。該当する端末がこの電文を受信すれば、その端末は電文の意味内容を理解するが、その他の端末がこの電文を受信しても電文内容を理解しない。
【００２９】
この実施例説明においては、転送プログラムを受信モードで実行しているデジタルフォトフレーム２がアクセスポイント１に接続されているので、スマートフォン３が発した受信端末呼びかけ電文をデジタルフォトフレーム２が受信して電文内容を理解し、応答電文をスマートフォン３に送信する。この応答電文には、デジタルフォトフレーム２の識別情報（端末のＩＰアドレスや名称などを含む）が記述されている。
【００３０】
図６は、デジタルフォトフレーム２にて実行される受信プログラムのフローチャートである。図５と図６とによって上記の端末間の動作が表現されている。
【００３１】
スマートフォン３は、受信端末呼びかけ電文に対するデジタルフォトフレーム２からの応答電文を受信すると、画像ファイルの受け手となるデジタルフォトフレーム２が存在することをディスプレイ部３２に表示して（端末ＩＤ「broadway」を表示）スマートフォン３の利用者に知らせ、同時並行して、スマートフォン３の利用者に送信するべき画像ファイルを指定するように促す。
【００３２】
図８は、スマートフォン３における画面の遷移を示している。画面８０１は転送プログラムの起動直後の画面であり、画面８０２はデジタルフォトフレーム２からの応答電文を受信して端末ＩＤを表示している画面であり、画面８０３はスマートフォン３の所定エリアに保存されいてる画像ファイル（デジタル写真）をサムネイル式に一覧的に表示して転送する写真を選択する画面であり、画面８０４はいくつかの写真を選択した画面である。この画面８０４には「端末を振ってください」とのメッセージが付加表示されている。これについて以下に説明する。
【００３３】
図７は、スマートフォン３において受信端末検索処理（図５）と並行して実行されている送信処理の手順を示している。送信処理では、送信すべき画像ファイルが未選択であれば、利用者に選択を促してファイル選択処理を行う（７０１→７０２→７０３）。応答電文を送信した受信端末ＩＤを取得していることを再確認し、デジタルフォトフレーム２との通信が途切れたなら通信の回復を試行する（７０４→７０５）。
【００３４】
スマートフォン３において、送信すべき画像ファイルが選択されてデジタルフォトフレーム２との通信が確保されている場合、ステップ７０６に進み、利用者に「端末を振ってください」というメッセージを表示し、加速度センサ部３５の信号変化を監視する。周知のように、加速度センサ部３５は、端末（スマートフォン３）の機械的運動に感応する３次元の加速度センサであり、利用者がスマートフォン３を手でもってボールを投げるような感じで振ると、センサ信号は短時間で急加速と急減速を検出した変化を示す。この変化を所定のアルゴリズムで弁別することにより「端末が振られたこと」を検出する。
【００３５】
スマートフォン３において「端末が振られたこと」が検出されると、ステップ７０７→７０８→７０９が実行され、選択された画像ファイルをデジタルフォトフレーム２宛てに送信する。デジタルフォトフレーム２は、図６のステップ６０４→６０５→６０６を実行し、スマートフォン３から送信された画像ファイルを受信し、その画像ファイルを所定のフォルダーに格納するとともに、そのサムネイル画像とともに受信したことを利用者に知らせるメッセージを表示する。
【００３６】
図９は、デジタルフォトフレーム３における画面の遷移を示している。画面９０１は転送プログラムの起動直後の画面であり、画面９０２はスマートフォン３から送信された画像ファイルを受信中の状態の画面であり、画面９０３は画像ファイルを受信完了した状態の画面である。一方、スマートフォン３においては図８の図面９０５のように画像ファイルの送信を完了したことが表示される。この実施例においては、画像ファイルの送り手を「ピッチャー」、受け手を「キャッチャー」と呼び、「ピッチャー」においてボールを投げるような仕草で端末を振ることで画像ファイルが転送される。
【００３７】
デジタルフォトフレーム３においては、この発明の核心たる転送プログラムが前記のように受信モードで動作するところ、このプログラムの終了指示をしなければ、たとえばスライドショー形式でデジタル写真を表示するアプリケーションプログラムなど、他のアプリケーションプログラムを起動しても、当該転送プログラムはバックグランドで動作継続しており、スマートフォン３からの画像ファイルを上記のように受信することが可能となっている。
【００３８】
なお、携帯無線端末が上記した加速度センサを備えていない場合でも画像ファイルの送り手となれるようにするために、転送プログラムは、送信モードにおいて端末が加速度センサ無しであることを検出した場合、「端末を振ってください」のメッセージに代えて送信ボタンを表示し、このボタンにタップすることで送信動作を実行するように構成されている。
【００３９】
また、転送プログラムは、送信モード実行中に所定の操作入力により受信モードに切り換えることが可能であるとともに、受信モード実行中に所定の操作入力により送信モードに切り換えることが可能に構成されている。したがって、図１０に示すように、上記のスマートフォン３から、デジタルフォトフレームであることを示す所定の属性情報が設定記録されていないタブレットコンピューターやその他のスマートフォンに対しても画像ファイルを転送することが可能となっている。
【００４０】
以上の説明から明らかなように、この発明に係る画像ファイル転送方法は、わかりやすく分説すると、以下の事項（１）〜（８）により特定されるものである。
（１）１台の無線ＬＡＮアクセスポイントのカバーエリア内において、送信プログラムＣ１と受信プログラムＣ２を含んだ転送プログラムＣを実装している加速度センサ付き携帯無線端末Ｂと無線端末Ａとの間で画像ファイルを転送する方法であること
（２）無線端末Ａおよび携帯無線端末Ｂの転送プログラムＣをそれぞれ起動し、端末Ａおよび端末Ｂを同じアクセスポイントに接続するプロセスを含むこと
（３）転送プログラムＣが、起動された際、自身が実装されている端末の属性情報を取得し、その属性情報がデジタルフォトフレームであることを示す所定の属性情報に該当する場合に受信プログラムＣ２を起動し、該当しない場合には送信プログラムＣ１を起動する処理を行うことにより、無線端末Ａにおいて受信プログラムＣ２を起動させ、携帯無線端末Ｂにおいて送信プログラムＣ１を起動させるプロセスを含むこと
（４）携帯無線端末Ｂから送信プログラムＣ１により受信端末呼びかけ電文を送信し、無線端末Ａが受信プログラムＣ２により受信端末呼びかけ電文を受信して端末Ａの識別子を含む応答電文を端末Ｂ宛てに送信するプロセスを含むこと
（５）携帯無線端末Ｂにおいて、送信プログラムＣ１により、無線端末Ａからの前記応答電文を受信した際、端末Ｂの利用者に端末Ａの存在を知らせるプロセスを含むこと
（６）携帯無線端末Ｂにおいて、送信プログラムＣ１により、端末Ｂの利用者に転送したい画像ファイルの指定操作を促すプロセスを含むこと
（７）携帯無線端末Ｂにおいて、送信プログラムＣ１により、前記加速度センサの信号に基づいて利用者が端末Ｂを振ったことを検出した際、指定された画像ファイルを無線端末Ａへ転送する画像ファイル転送電文を送信するプロセスを含むこと
（８）無線端末Ａにおいて、受信プログラムＣ２により、前記画像ファイル電文を受信し、受信した画像ファイルをメモリに格納するとともにディスプレイに表示するプロセスを含むこと
【００４１】
また、この発明の射程は、上記のように特定される画像ファイル転送方法により無線ＬＡＮアクセスポイントのカバーエリア内において加速度センサ付き携帯無線端末Ｂと無線端末Ａとの間で画像ファイルを転送するために端末Ｂと端末Ａに実装される転送プログラムに及んでいる。さらに、この発明の射程は、当該転送プログラムを実装した無線端末Ａであるところのデジタルフォトフレームにも及ぶものである。
【図２】
2013135420.tif 000003
【図３】
2013135420.tif 000004
【図４】
2013135420.tif 000005
【図５】
2013135420.tif 000006
【図６】
2013135420.tif 000007
【図７】
2013135420.tif 000008
【図１】
2013135420.tif 000009
【図８Ａ】
2013135420.tif 000010
【図８Ｂ】
2013135420.tif 000011
【図９】
2013135420.tif 000012
【図１０】
2013135420.tif 000013